(57)【要約】      （修正有）【課題】雨水等を貯留または浸透させる地下貯水施設のパイプ接続部から水漏れが生じたり、土砂が施設内部に流入することを防止するカバーフィルタとそれを用いた接続工法を提供する。【解決手段】雨水等を貯留または浸透させる地下貯水施設２００の内部に雨水等を流入または流出するためのパイプ１００と、地下貯水施設２００のパイプ接続部を覆うカバーフィルタ１０であり、パイプ接続部に接着される接着部１１と、パイプ１００が挿入されるつば部１２とを有する。パイプ１００にカバーフィルタ１０を挿通して組付け、接続孔２０１を形成したパイプ接続部に、カバーフィルタ１０の接着部１１を接着し、つば部１２とパイプ１００の端部とを結束する。【選択図】図６
2014034770.tif 000002
【特許請求の範囲】
【請求項１】
雨水等を貯留または浸透させる地下貯水施設の内部に雨水等を流入または流出するためのパイプと、前記地下貯水施設のパイプ接続部を覆うカバーフィルタであり、
前記パイプ接続部に接着される接着部と、
前記パイプが挿入されるつば部と、
を有することを特徴とするカバーフィルタ。
【請求項２】
前記接着部と前記つば部は、不織布または織布で別々に形成し、
前記接着部に形成した貫通孔の周辺に、前記つば部の端部を接着したことを特徴とする請求項１に記載のカバーフィルタ。
【請求項３】
前記接着部は、前記パイプの外周以上で、かつ前記パイプの直径の１．５倍以上の直径の円に囲まれる接着領域を有することを特徴とする請求項１または請求項２に記載のカバーフィルタ。
【請求項４】
前記つば部は、前記パイプの直径以上の長さであることを特徴とする請求項１または請求項２に記載のカバーフィルタ。
【請求項５】
雨水等を貯留または浸透させる地下貯水施設に、雨水等を流入または流出するためのパイプを接続する接続孔を形成し、
前記接続孔に前記パイプの端部を挿入して前記地下貯水施設に接続し、
前記接続孔と前記パイプとの間に楔を挿入して固定し、
請求項１乃至請求項４のいずれか１項に記載のカバーフィルタを用い、
前記パイプに前記カバーフィルタを挿通して組付け、
前記接続孔を形成したパイプ接続部に、前記カバーフィルタの接着部を接着し、
前記カバーフィルタのつば部と前記パイプの端部とを結束することを特徴とする地下貯水施設のパイプ接続工法。
【請求項６】
雨水等を貯留または浸透させる地下貯水施設に、雨水等を流入または流出するためのパイプを接続する接続孔を形成し、
前記接続孔に前記パイプの端部を挿入して前記地下貯水施設に接続し、
請求項１乃至請求項４のいずれか１項に記載のカバーフィルタを用い、
前記パイプに前記カバーフィルタを挿通して組付け、
前記接続孔を形成したパイプ接続部に、前記カバーフィルタの接着部を接着し、
前記カバーフィルタのつば部と前記パイプの端部とを結束することを特徴とする地下貯水施設のパイプ接続工法。
【請求項７】
雨水等を貯留または浸透させる地下貯水施設に、雨水等を流入または流出するためのパイプを接続する接続孔を形成し、
請求項１乃至請求項４のいずれか１項に記載のカバーフィルタを用い、
前記接続孔を形成したパイプ接続部に、前記カバーフィルタの接着部を接着し、
前記カバーフィルタのつば部に、前記パイプの端部を挿入して前記地下貯水施設に接続し、
前記カバーフィルタのつば部と前記パイプの端部とを結束することを特徴とする地下貯水施設のパイプ接続工法。
【発明の詳細な説明】
【技術分野】
【０００１】
この発明は、住宅地、公園、駐車場や工場敷地等において雨水等を貯留または浸透させる地下貯水施設に用いるカバーフィルタ及びカバーフィルタを用いた地下貯水施設のパイプ接続工法に関する。
【背景技術】
【０００２】
近年、都市部では集中豪雨による家屋の浸水や河川の氾濫を防止するために、雨水等を貯留または浸透させる地下貯水施設が施工されている。地表面のほとんどが建物や舗装などの不浸透面で覆われている都市部では、雨水等は地下に浸透せず低地に流入して家屋を浸水させたり、河川を氾濫させる危険が高まっている。また、水の使用量が年々増大しており、水源地での降雨量が少ないと水不足となる危険がある。そのために水対策として、雨水を一定時間貯留した後、河川等に順次放流したり、積極的に地下に浸透させることにより、雨水等による河川の氾濫、家屋の浸水災害を防止したり、さらに、一時貯留した雨水を汲み上げて利用するための雨水等の貯留浸透施設が施工されている。
【０００３】
このような雨水等の地下貯水施設として、例えば、特開２０００−１６０６０６号公報記載の「雨水貯留装置」、特開２００５−００２６２０号公報の「地下貯留及び／又は浸透槽」に記載されるものがある。これらの施設は、例えば地面を掘り下げてタンク部を構成し、このタンク部内に充填部材を充填して形成される。
【先行技術文献】
【特許文献】
【０００４】
【特許文献１】特開２０００−１６０６０６号公報
【特許文献２】特開２００５−００２６２０号公報
【発明の概要】
【発明が解決しようとする課題】
【０００５】
このような雨水等を貯留または浸透させる地下貯水施設では、例えば雨水等の流入または流出するためのパイプ、また施設内部を点検のためのパイプが接続されているが、このパイプ接続部から水漏れが生じ、また土砂が施設内部に流入する虞がある。
【０００６】
この発明は、かかる現況に鑑みてなされたもので、雨水等を貯留または浸透させる地下貯水施設のパイプ接続部から水漏れが生じたり、また土砂が施設内部に流入することを防止するカバーフィルタ及び地下貯水施設のパイプ接続工法を提供することを目的とする。
【課題を解決するための手段】
【０００７】
前記課題を解決し、かつ目的を達成するために、この発明は、以下のように構成した。
【０００８】
請求項１に記載の発明は、雨水等を貯留または浸透させる地下貯水施設の内部に雨水等を流入または流出するためのパイプと、前記地下貯水施設のパイプ接続部を覆うカバーフィルタであり、前記パイプ接続部に接着される接着部と、前記パイプが挿入されるつば部と、を有することを特徴とするカバーフィルタである。
【０００９】
請求項２に記載の発明は、前記接着部と前記つば部は、不織布または織布で別々に形成し、前記接着部に形成した貫通孔の周辺に、前記つば部の端部を接着したことを特徴とする請求項１に記載のカバーフィルタである。      
【００１０】
請求項３に記載の発明は、前記接着部は、前記パイプの外周以上で、かつ前記パイプの直径の１．５倍以上の直径の円に囲まれる接着領域を有することを特徴とする請求項１または請求項２に記載のカバーフィルタである。
【００１１】
請求項４に記載の発明は、前記つば部は、前記パイプの直径以上の長さであることを特徴とする請求項１または請求項２に記載のカバーフィルタである。
【００１２】
請求項５に記載の発明は、雨水等を貯留または浸透させる地下貯水施設に、雨水等を流入または流出するためのパイプを接続する接続孔を形成し、前記接続孔に前記パイプの端部を挿入して前記地下貯水施設に接続し、前記接続孔と前記パイプとの間に楔を挿入して固定し、請求項１乃至請求項４のいずれか１項に記載のカバーフィルタを用い、前記パイプに前記カバーフィルタを挿通して組付け、前記接続孔を形成したパイプ接続部に、前記カバーフィルタの接着部を接着し、前記カバーフィルタのつば部と前記パイプの端部とを結束することを特徴とする地下貯水施設のパイプ接続工法である。
【００１３】
請求項６に記載の発明は、雨水等を貯留または浸透させる地下貯水施設に、雨水等を流入または流出するためのパイプを接続する接続孔を形成し、前記接続孔に前記パイプの端部を挿入して前記地下貯水施設に接続し、請求項１乃至請求項４のいずれか１項に記載のカバーフィルタを用い、前記パイプに前記カバーフィルタを挿通して組付け、前記接続孔を形成したパイプ接続部に、前記カバーフィルタの接着部を接着し、前記カバーフィルタのつば部と前記パイプの端部とを結束することを特徴とする地下貯水施設のパイプ接続工法である。
【００１４】
請求項７に記載の発明は、雨水等を貯留または浸透させる地下貯水施設に、雨水等を流入または流出するためのパイプを接続する接続孔を形成し、請求項１乃至請求項４のいずれか１項に記載のカバーフィルタを用い、前記接続孔を形成したパイプ接続部に、前記カバーフィルタの接着部を接着し、前記カバーフィルタのつば部に、前記パイプの端部を挿入して前記地下貯水施設に接続し、前記カバーフィルタのつば部と前記パイプの端部とを結束することを特徴とする地下貯水施設のパイプ接続工法である。
【発明の効果】
【００１５】
前記構成により、この発明は、以下のような効果を有する。
【００１６】
請求項１乃至請求項７に記載の発明では、雨水等を貯留または浸透させる地下貯水施設に、雨水等を流入または流出するためのパイプを接続する接続孔を形成し、請求項１乃至請求項４のいずれか１項に記載のカバーフィルタを用い、接続孔を形成したパイプ接続部に、カバーフィルタの接着部を接着し、カバーフィルタのつば部とパイプの端部とを結束することで、パイプ接続部から水漏れが生じたり、また土砂が施設内部に流入することを防止することができる。
【図面の簡単な説明】
【００１７】
【図１】カバーフィルタの正面図である。
【図２】カバーフィルタの側面図である。
【図３】カバーフィルタの背面図である。
【図４】カバーフィルタの断面図である。
【図５】カバーフィルタの他の実施の形態の断面図である。
【図６】地下貯水施設のパイプ接続工法の第1の実施の形態を説明する図である。
【図７】地下貯水施設のパイプ接続工法の第２の実施の形態を説明する図である。
【図８】地下貯水施設のパイプ接続工法の第３の実施の形態を説明する図である。
【図９】浸透施設の実施の形態を説明する図である。
【図１０】浸透施設の他の実施の形態を説明する図である。
【図１１】貯留施設の実施の形態を説明する図である。
【発明を実施するための形態】
【００１８】
以下、この発明のカバーフィルタ及び地下貯水施設のパイプ接続工法の実施の形態について説明する。この発明の実施の形態は、発明の最も好ましい形態を示すものであり、この発明はこれに限定されない。
【００１９】
この実施の形態の地下貯水施設は、住宅地、公園、駐車場や工場敷地等において雨水等を貯留または浸透させる施設である。
【００２０】
（カバーフィルタ）
この実施の形態のカバーフィルタを、図１乃至図５に基づいて説明する。図１はカバーフィルタの正面図、図２はカバーフィルタの側面図、図３はカバーフィルタの背面図、図４はカバーフィルタの断面図、図５はカバーフィルタの他の実施の形態の断面図である。
【００２１】
このカバーフィルタ１０は、雨水等を貯留または浸透させる地下貯 水施設の内部に雨水等を流入または流出するためのパイプ１００と、地下貯水施設のパイプ接続部１１０を覆うものであり、パイプ接続部１１０に接着される接着部１１と、パイプ１００が挿入されるつば部１２とを有する。
【００２２】
接着部１１とつば部１２は、不織布または織布で別々に形成し、接着部１１に形成した貫通孔１１ａの周辺に、つば部１２の端部１２ａを接着した構成である。不織布または織布には、ポリプロピレン  （ＰＰ）、ポリエチレンテレフタレート（ＰＥＴ）、ポリ塩化ビニル（ＰＶＣ）などの樹脂が用いられる。
【００２３】
図１乃至図４に示す実施の形態では、接着部１１に形成した貫通孔１１ａに、つば部１２の端部１２ａを挿入し、この挿入した端部１２ａを外方に広げて貫通孔１１ａの周辺に接着している。図５の実施の形態では、つば部１２の端部１２ａを外方に広げ、この広げた端部１２ａを接着部１１に形成した貫通孔１１ａの周辺に接着している。また、接着部１１に形成した貫通孔１１ａの周辺を外方に立ち上げてつば部１２の端部１２ａに接着してもよい。
【００２４】
この接着部１１に形成した貫通孔１１ａの周辺に、つば部１２の端部１２ａを接着する構成は、特に限定されず、また接着方法としては、接着剤、融着、縫い合わせなどを用いることができる。
【００２５】
この接着部１１は、外形形状が正方形で、シート状であり、パイプ１００の外周以上で、かつパイプ１００の直径Ｌ１の１．５倍以上の直径Ｌ２の円に囲まれる接着領域Ｅ１を有する。この接着部１１は、接着領域Ｅ１を有することによって確実に地下貯水施設のパイプ接続部１１０に接着することができる。また、つば部１２は、パイプ１００の直径Ｌ１以上の長さＬ３である。つば部１２は、長さＬ３であることによってパイプ１００との結束長さを確保することができる。
【００２６】
この実施の形態のカバーフィルタ１０を用い、地下貯水施設のパイプ接続部１１０に、カバーフィルタ１０の接着部１１を接着し、カバーフィルタ１０のつば部１２とパイプ１００の端部とを結束することで、パイプ接続部１００から水漏れが生じたり、また土砂が施設内部に流入することを防止することができる。
【００２７】
（地下貯水施設のパイプ接続工法）
[第1の実施の形態]
この地下貯水施設のパイプ接続工法の第1の実施の形態を、図６に基づいて説明する。この実施の形態の地下貯水施設のパイプ接続工法は、雨水等の地下貯水施設２００に、雨水等を流入または流出するためのパイプ１００を接続する接続孔２０１を形成する（図６（ａ））。
【００２８】
地下貯水施設２００としては、浸透施設、貯留施設があり、この実施の形態では、浸透施設を示している。地下貯水施設２００としての浸透施設には、側板２１０に保護シート２１１が設けられ、この側板２１０と保護シート２１１にパイプ１００を接続する接続孔２０１を形成する。この接続孔２０１は、地下貯水施設２００を施工する現場において繰り抜き加工により形成する。
【００２９】
この接続孔２０１にパイプ１００の端部を挿入して地下貯水施設２００に接続し、接続孔２０１とパイプ１００との間に楔９００を打ち込み挿入して固定する（図６（ｂ））。この楔９０を打ち込み挿入する箇所は、1箇所でも、複数個所でもよいが、等間隔で3箇所であると簡単に安定して固定することができる。また、楔９０は、樹脂、木材、金属などで成形することができる。
【００３０】
前記したカバーフィルタ１０を用い、パイプ１００にカバーフィルタ１０を挿通して組付け、接続孔２０１を形成したパイプ接続部１１０の保護シート２１１に、カバーフィルタ１０の接着部１１を接着する（図６（ｃ））。この接着方法としては、接着剤、融着、両面接着テープなどを用いることができる。
【００３１】
次に、カバーフィルタ１０のつば部１２とパイプ１００の端部とを結束する（図６（ｄ））。この結束方法としては、カバーフィルタ１０のつば部１２とパイプ１００の端部との間に、接着剤などで埋めるなどのコーキング処理し、金属バンド、樹脂バンド、紐などの結束具１３を用いる結束する。
【００３２】
このように、雨水等を貯留または浸透させる地下貯水施設２００に、雨水等を流入または流出するためのパイプ１００を接続する接続孔２０１を形成し、カバーフィルタ１０を用い、接続孔２０１を形成したパイプ接続部１１０に、カバーフィルタ１０の接着部１１を接着し、カバーフィルタ１０のつば部１２とパイプ１００の端部とを結束することで、パイプ接続部１１０から水漏れが生じたり、また土砂が施設内部に流入することを防止することができる。
【００３３】
[第２の実施の形態]
この地下貯水施設のパイプ接続工法の第２の実施の形態を、図７に基づいて説明する。この実施の形態の地下貯水施設のパイプ接続工法は、雨水等の地下貯水施設２００に、雨水等を流入または流出するためのパイプ１００を接続する接続孔２０１を形成する（図７（ａ））。
【００３４】
地下貯水施設２００としては、浸透施設、貯留施設があり、この実施の形態では、第1の実施の形態と同様に浸透施設を示し、側板２１０と保護シート２１１にパイプ１００を接続する接続孔２０１を形成する。
【００３５】
この接続孔２０１にパイプ１００の端部を挿入して地下貯水施設２００に接続し、第1の実施の形態と異なり接続孔２０１とパイプ１００との間に楔を打ち込まないで固定する（図６（ｂ））。
【００３６】
前記したカバーフィルタ１０を用い、パイプ１００にカバーフィルタ１０を挿通して組付け、接続孔２０１を形成したパイプ接続部１１０の保護シート２１１に、カバーフィルタ１０の接着部１１を接着し（図６（ｃ））、カバーフィルタ１０のつば部１２とパイプ１００の端部とを結束する（図６（ｄ））。この接着及び結束方法は、第1の実施の形態と同様である。
【００３７】
このように、雨水等を貯留または浸透させる地下貯水施設２００に、雨水等を流入または流出するためのパイプ１００を接続する接続孔２０１を形成し、カバーフィルタ１０を用い、接続孔２０１を形成したパイプ接続部１１０に、カバーフィルタ１０の接着部１１を接着し、カバーフィルタ１０のつば部１２とパイプ１００の端部とを結束することで、パイプ接続部１１０から水漏れが生じたり、また土砂が施設内部に流入することを防止することができる。
【００３８】
[第３の実施の形態]
この地下貯水施設のパイプ接続工法の第３の実施の形態を、図８に基づいて説明する。この実施の形態の地下貯水施設のパイプ接続工法は、雨水等の地下貯水施設２００に、雨水等を流入または流出するためのパイプ１００を接続する接続孔２０１を形成する（図８（ａ））。
【００３９】
地下貯水施設２００としては、浸透施設、貯留施設があり、この実施の形態では、第1の実施の形態と同様に浸透施設を示し、側板２１０と保護シート２１１にパイプ１００を接続する接続孔２０１を形成する。
【００４０】
前記したカバーフィルタ１０を用い、接続孔２０１を形成したパイプ接続部１１０の保護シート２１１に、カバーフィルタ１０の接着部１１を接着し（図８（ｂ））、カバーフィルタ１０のつば部１２に、パイプ１００の端部を挿入して地下貯水施設２００としての浸透施設に接続し（図６（ｃ））、カバーフィルタ１０のつば部１２とパイプ１００の端部とを結束する（図６（ｄ））。この接着及び結束方法は、第1の実施の形態と同様である。
【００４１】
このように、雨水等を貯留または浸透させる地下貯水施設２００に、雨水等を流入または流出するためのパイプ１００を接続する接続孔２０１を形成し、カバーフィルタ１０を用い、接続孔２０１を形成したパイプ接続部１１０に、カバーフィルタ１０の接着部１１を接着し、カバーフィルタ１０のつば部１２に、パイプ１００の端部を挿入して地下貯水施設２００に接続し、カバーフィルタ１０のつば部１２とパイプ１００の端部とを結束することで、パイプ接続部１１０から水漏れが生じたり、また土砂が施設内部に流入することを防止することができる。
【００４２】
（地下貯水施設の形態）
次に、地下貯水施設の形態を、図９乃至図１１に基づいて説明する。図９は浸透施設の実施の形態を説明する図、図１０は浸透施設の他の実施の形態を説明する図、図１１は貯留施設の実施の形態を説明する図である。
【００４３】
図９の浸透施設の実施の形態では、浸透施設３００の底部から側部、上部を覆うように透水シート３０１が設けられる。浸透施設３００の上部の平板３０２には、施工現場においてカバーフィルタ１０を用いて点検パイプ１２０を接続する。また、浸透施設３００の側部の平板３０３には、施工現場においてカバーフィルタ１０を用いて流入パイプ１３０を接続する。
【００４４】
図１０の浸透施設の実施の形態では、浸透施設３００の底部から側部、上部を覆うように透水シート３０１が設けられる。浸透施設３００の一方の側部の平板３０４に、施工現場においてカバーフィルタ１０を用いて流入パイプ１４０を接続し、他方の側部の平板３０５に、施工現場においてカバーフィルタ１０を用いて流出パイプ１５０を接続し、流出パイプ１５０から水がオーバーフローする。
【００４５】
図１１の貯留施設の実施の形態では、貯留施設４００の底部から側部を覆うように遮水シート４０１が設けられ、さらに底部から側部の遮水シート４０１、上部を覆うように透水シート４０２が設けられる。貯留施設４００の一方の側部の平板４０３に、施工現場においてカバーフィルタ１０を用いて流入パイプ１６０を接続し、他方の側部の平板４０４に、施工現場においてカバーフィルタ１０を用いて流出パイプ１７０を接続し、流出パイプ１７０から水が放流する。
【産業上の利用可能性】
【００４６】
この発明は、住宅地、公園、駐車場や工場敷地等において雨水等を貯留または浸透させる地下貯水施設に用いるカバーフィルタ及びカバーフィルタを用いた地下貯水施設のパイプ接続工法に適用可能であり、雨水等を貯留または浸透させる地下貯水施設のパイプ接続部から水漏れが生じたり、また土砂が施設内部に流入することを防止する。
【符号の説明】
【００４７】
１０  カバーフィルタ
１１  接着部
１１ａ  接着部１１に形成した貫通孔
１２  つば部
１２ａ  つば部１２の端部
１３  結束具
９０  楔
１００  パイプ１１０パイプ接続部
２００  雨水等の地下貯水施設
２０１  パイプ１００を接続する接続孔
２１０  側板
２１１  保護シート
【図１】
2014034770.tif 000003
【図２】
2014034770.tif 000004
【図３】
2014034770.tif 000005
【図４】
2014034770.tif 000006
【図５】
2014034770.tif 000007
【図６】
2014034770.tif 000008
【図７】
2014034770.tif 000009
【図８】
2014034770.tif 000010
【図９】
2014034770.tif 000011
【図１０】
2014034770.tif 000012
【図１１】
2014034770.tif 000013